(57)【要約】【課題】複数の仮想付箋紙が表示されている場合でも、追加記入する対象の仮想付箋紙を探索する際の利便性を向上する。【解決手段】文書情報を表示する仮想付箋紙３０１〜３０５を表示装置３に表示させるサーバー２であって、仮想付箋紙に記入させる文書情報を外部の手書き入力操作端末１から受信する制御手順と、既存の複数の仮想付箋紙のそれぞれに関する所定の種類のパラメータを複数の仮想付箋紙に対応付けて記憶し、パラメータのうちの１種を順位基準パラメータとして設定して複数の仮想付箋紙の選択順位を当該順位基準パラメータの順位に従って設定する制御手順と、複数の仮想付箋紙のうち任意の１つを、受信した文書情報を追加記入すべき対象として順位基準パラメータにおける選択順位の順で切り替えて選択可能な制御手順と、選択された仮想付箋紙を、他の仮想付箋紙と異なる態様で表示させるよう表示装置３を制御する制御手順と、を有する。【選択図】図６
2012194844.tif 000002
【特許請求の範囲】
【請求項１】
文書情報を表示する所定形状の表示オブジェクトを表示手段に表示させる表示オブジェクト管理装置であって、
前記表示オブジェクトに記入させる前記文書情報を外部の操作端末から受信する文書情報受信手段と、
既存の複数の前記表示オブジェクトのそれぞれに関する所定の種類のパラメータを前記複数の表示オブジェクトに対応付けて記憶し、前記パラメータのうちの１種を順位基準パラメータとして設定して前記複数の表示オブジェクトの選択順位を当該順位基準パラメータの順位に従って設定するパラメータ記憶制御手段と、
前記複数の表示オブジェクトのうち任意の１つを、前記文書情報受信手段で受信した前記文書情報を追加記入すべき対象として前記順位基準パラメータにおける選択順位の順で切り替えて選択可能な表示オブジェクト選択手段と、
前記表示手段に表示されている前記複数の表示オブジェクトのうち、前記表示オブジェクト選択手段により選択された表示オブジェクトを、他の表示オブジェクトと異なる態様で表示させるよう前記表示手段を制御する表示制御手段と、
を有することを特徴とする表示オブジェクト管理装置。
【請求項２】
請求項１記載の表示オブジェクト管理装置において、
前記表示制御手段は、前記複数の表示オブジェクトをそれぞれ前記順位基準パラメータにおける選択順位に対応して段階的に変化させた態様で表示する
ことを特徴とする表示オブジェクト管理装置。
【請求項３】
請求項１又は２記載の表示オブジェクト管理装置において、
前記パラメータ記憶制御手段は、前記順位基準パラメータにおける順位が同じ複数の表示オブジェクトに対し、他の種のパラメータの順位に従ってそれらの間の選択順位を設定する
ことを特徴とする表示オブジェクト管理装置。
【請求項４】
請求項１乃至３のいずれか１項に記載の表示オブジェクト管理装置において、
前記操作端末は、前記表示手段の表示領域座標と対応する記入領域座標で前記文書情報の記入位置を指定可能であって、
前記パラメータ記憶制御手段は、前記表示領域座標において、前記複数の表示オブジェクトにそれぞれ記載されている既存の文書情報の座標位置と、追加記入の目的で前記文書情報受信手段が受信した文書情報の座標位置との間の距離を、前記複数の表示オブジェクトのそれぞれの前記順位基準パラメータに設定している
ことを特徴とする表示オブジェクト管理装置。
【請求項５】
請求項１乃至３のいずれか１項に記載の表示オブジェクト管理装置において、
前記操作端末は、前記表示手段の表示領域座標と対応する記入領域座標で前記文書情報の記入位置を指定可能であって、
前記順位基準パラメータは、各表示オブジェクト内にそれぞれ設定されるオブジェクト領域座標において、前記複数の表示オブジェクトにそれぞれ記載されている既存の文書情報の記載終了位置の座標位置と、追加記入の目的で前記文書情報受信手段が受信した文書情報の追記開始位置の座標位置との間の距離である
ことを特徴とする表示オブジェクト管理装置。
【請求項６】
請求項１乃至５のいずれか１項に記載の表示オブジェクト管理装置において、
前記パラメータ記憶制御手段は、前記複数の表示オブジェクトのそれぞれの表示領域における余白の大きさ、文書情報の記載領域の大きさ、文書情報の文字数、及び前記複数の表示オブジェクトのそれぞれの作成順のうち少なくとも１つを前記各種のパラメータとして記憶する
ことを特徴とする表示オブジェクト管理装置。
【請求項７】
文書情報を表示する所定形状の表示オブジェクトを表示手段に表示させる表示オブジェクト管理装置に備えられた制御手段に対し、
前記表示オブジェクトに表示させる前記文書情報を外部の操作端末から受信する文書情報受信手順と、
既存の複数の前記表示オブジェクトのそれぞれに関する所定の種類のパラメータを前記複数の表示オブジェクトに対応付けて記憶し、前記パラメータのうちの１種を順位基準パラメータとして設定して前記複数の表示オブジェクトの選択順位を当該順位基準パラメータの順位に従って設定するパラメータ記憶制御手順と、
前記複数の表示オブジェクトのうち任意の１つを、前記文書情報受信手順で受信した前記文書情報を追加記入すべき対象として前記順位基準パラメータにおける選択順位の順で切り替えて選択可能な表示オブジェクト選択手順と、
前記表示手段に表示されている前記複数の表示オブジェクトのうち、前記表示オブジェクト選択手順により選択された表示オブジェクトを、他の表示オブジェクトと異なる態様で表示させるよう前記表示手段を制御する表示制御手順と、
を実行させるための表示オブジェクト管理プログラム。
【発明の詳細な説明】
【技術分野】
【０００１】
本発明は、表示画面上において文書情報を表示する表示オブジェクトの表示及び追記記入力が可能な表示オブジェクト管理装置、及び表示オブジェクト管理プログラムに関する。
【背景技術】
【０００２】
近年では、パーソナルコンピュータなどの情報機器の表示画面上において、文字列などの文書情報を記入した表示オブジェクトを仮想的な付箋紙として作成し表示するアプリケーション、又はＷＥＢサービスが普及している。
【０００３】
また、複数の仮想付箋紙が同じ注釈位置に集中して配置された場合でも、特定の付箋情報で規定される順序でそれら複数の仮想付箋紙を重ねることで、それら複数の仮想付箋紙が共通の注釈位置に配置する技術が提案されている（例えば、特許文献１参照）。
【先行技術文献】
【特許文献】
【０００４】
【特許文献１】特開２００８−９７０７４号公報
【発明の概要】
【発明が解決しようとする課題】
【０００５】
しかしながら、閲覧者が複数の既存の仮想付箋紙のうちの１つに対して記載を追記したい場合があるが、上記従来技術ではそのような追加記入を行う機能がない。そして、表示画面上において仮想付箋紙が大量に表示されている場合には、追記対象の仮想付箋紙を探索する手間が煩雑であり、特に上記従来技術のように仮想付箋紙が重ねて表示されている場合には目視で見つけることが困難であった。
【０００６】
本発明の目的は、複数の表示オブジェクトが表示されている場合でも、追加記入する対象の表示オブジェクトを探索する際の利便性を向上できる表示オブジェクト管理装置、及び表示オブジェクト管理プログラムを提供することにある。
【課題を解決するための手段】
【０００７】
上記目的を達成するために、第１の発明は、文書情報を表示する所定形状の表示オブジェクトを表示手段に表示させる表示オブジェクト管理装置であって、前記表示オブジェクトに記入させる前記文書情報を外部の操作端末から受信する文書情報受信手段と、既存の複数の前記表示オブジェクトのそれぞれに関する所定の種類のパラメータを前記複数の表示オブジェクトに対応付けて記憶し、前記パラメータのうちの１種を順位基準パラメータとして設定して前記複数の表示オブジェクトの選択順位を当該順位基準パラメータの順位に従って設定するパラメータ記憶制御手段と、前記複数の表示オブジェクトのうち任意の１つを、前記文書情報受信手段で受信した前記文書情報を追加記入すべき対象として前記順位基準パラメータにおける選択順位の順で切り替えて選択可能な表示オブジェクト選択手段と、前記表示手段に表示されている前記複数の表示オブジェクトのうち、前記表示オブジェクト選択手段により選択された表示オブジェクトを、他の表示オブジェクトと異なる態様で表示させるよう前記表示手段を制御する表示制御手段と、を有することを特徴とする。
【０００８】
本願第１発明においては、表示手段に表示オブジェクトを表示できる。
表示手段には、その表示領域中において使用者が任意の位置に複数の表示オブジェクトを作成し、その存在領域中に任意の文書情報を操作端末から入力して表示させることができる。また、既存の表示オブジェクトの存在領域中に新たな文書情報を追加して記入できる。なお、文書情報の追加記入は、既存の表示オブジェクトの余白に記入することが望ましい。このように、表示手段は表示オブジェクトアプリケーションの表示に利用できる。
【０００９】
そこで本願第１発明においては、文書情報受信手段が、表示オブジェクトに記入させる文書情報を外部の操作端末から受信する。また、パラメータ記憶制御手段が、既存の複数の表示オブジェクトのそれぞれに関する所定の種類のパラメータを各表示オブジェクトに対応付けて記憶する。さらにパラメータ記憶制御手段は、そのうちの１種のパラメータを順位基準パラメータとして設定し、既存の複数の表示オブジェクトの間の選択順位を当該順位基準パラメータの順位に従って設定する。これにより、既存の複数の表示オブジェクトどうしの間で、順位基準パラメータの内容に基づく序列が設定される。
【００１０】
そして上記文書情報受信手段で受信した文書情報を、既存の複数の表示オブジェクトのうちいずれか１つに追加記入する場合は、使用者が表示オブジェクト選択手段によって、順位基準パラメータにおける選択順位の順で切り替えて任意の１つの表示オブジェクトを選択する。この際、表示制御手段が、表示手段に表示されている既存の複数の表示オブジェクトのうち、表示オブジェクト選択手段により選択された１つの表示オブジェクトだけを例えばハイライト表示させるなど、他の表示オブジェクトと異なる態様で表示させるよう表示手段を逐次制御する。
【００１１】
以上により本願第１発明は、表示手段に大量の表示オブジェクトが表示されている場合でも、その時点で仮に追加記入の対象としている表示オブジェクトを１つだけ明確に表示させることができ、その選択対象を容易に切り替えることができる。また、どのパラメータを順位基準パラメータに設定するかによって、機能的な順序で選択対象を切り替えることができる。この結果、複数の表示オブジェクトが表示されている場合でも、追加記入する対象の表示オブジェクトを探索する際の利便性を向上できる。
【００１２】
第２の発明は、上記第１発明において、前記操作端末は、前記表示手段の表示領域座標と対応する記入領域座標で前記文書情報の記入位置を指定可能であって、前記パラメータ記憶制御手段は、前記表示領域座標において、前記複数の表示オブジェクトにそれぞれ記載されている既存の文書情報の座標位置と、追加記入の目的で前記文書情報受信手段が受信した文書情報の座標位置との間の距離を、前記複数の表示オブジェクトのそれぞれの前記順位基準パラメータに設定していることを特徴とする。
【００１３】
本願第２発明においては、操作端末が表示手段の表示領域座標と対応する記入領域座標で文書情報の記入位置を指定できる。そして、既存の複数の表示オブジェクトのそれぞれに記載されている既存の文書情報のいずれかに対して使用者が操作端末を利用して追記記入を行う際に、その追記対象の既存の文書情報の座標位置の近傍に追加の文書情報を筆記記入することで、当該文書情報の記入位置に最も近い順位を複数の表示オブジェクトの選択順位に設定できる。これにより、追記対象の表示オブジェクトを機能的な順序で切り替えることができる。
【００１４】
第３の発明は、上記第１発明において、前記操作端末は、前記表示手段の表示領域座標と対応する記入領域座標で前記文書情報の記入位置を指定可能であって、前記順位基準パラメータは、各表示オブジェクト内にそれぞれ設定されるオブジェクト領域座標において、前記複数の表示オブジェクトにそれぞれ記載されている既存の文書情報の記載終了位置の座標位置と、追加記入の目的で前記文書情報受信手段が受信した文書情報の追記開始位置の座標位置との間の距離であることを特徴とする。
【００１５】
本願第３発明においては、操作端末が表示手段の表示領域座標と対応する記入領域座標で文書情報の記入位置を指定できる。そして、順位基準パラメータを、各表示オブジェクト内のオブジェクト領域座標における既存の文書情報の記載開始位置と、上記オブジェクト領域座標に置き換えた追加の文書情報の追記開始位置との間の距離に設定した場合には、２つの文書情報が最も自然につながる配置関係の表示オブジェクトから順に追記対象に切り替えることができる。
【００１６】
第４の発明は、上記第１乃至第３発明のいずれかに発明において、前記表示制御手段は、前記複数の表示オブジェクトをそれぞれ前記順位基準パラメータにおける選択順位に対応して段階的に変化させた態様で表示することを特徴とする。
【００１７】
本願第４発明においては、その時点で仮に追加記入の対象として選択されている表示オブジェクトを１つだけ明確に表示させるとともに、他の複数の表示オブジェクトにおいてもそれぞれの選択順位を段階的に表示できる。これにより、その時点で表示オブジェクト選択手段により選択されている表示オブジェクトがどの程度の順位で選択されているかを比較でき、選択の決定を検討する際の参考にできる。
【００１８】
第５の発明は、上記第１乃至第４発明のいずれかに発明において、前記パラメータ記憶制御手段は、前記順位基準パラメータにおける順位が同じ複数の表示オブジェクトに対し、他の種のパラメータの順位に従ってそれらの間の選択順位を設定することを特徴とする。
【００１９】
本願第５発明においては、設定された１種の順位基準パラメータの内容が同じである複数の表示オブジェクトに対しても、パラメータ記憶制御手段が、他の種のパラメータの順位に従って選択順位の序列を設定できるため、選択順位の設定精度を向上できる。なお、パラメータが多数種ある場合には、順位基準パラメータの次にどのパラメータを参照するかについてもあらかじめ設定しておく必要がある。
【００２０】
第６の発明は、上記第１乃至第５発明のいずれかに発明において、前記パラメータ記憶制御手段は、前記複数の表示オブジェクトのそれぞれの表示領域における余白の大きさ、文書情報の記載領域の大きさ、文書情報の文字数、及び前記複数の表示オブジェクトのそれぞれの作成順のうち少なくとも１つを前記各種のパラメータとして記憶することを特徴とする。
【００２１】
本願第６発明においては、パラメータ記憶制御手段が参照するパラメータの具体的な種類として、前記複数の表示オブジェクトのそれぞれの表示領域における余白の大きさ、文書情報の記載領域の大きさ、文書情報の文字数、及び前記複数の表示オブジェクトのそれぞれの作成順のうち少なくとも１つを記憶する。このうち、余白の大きさ、文書情報の記載領域の大きさ、文書情報の文字数のいずれかを上記順位基準パラメータに設定することで、表示オブジェクト選択手段が表示オブジェクトの形状をできるだけ変えずに文書情報を追記できる順で切り替えできる。また、前記複数の表示オブジェクトのそれぞれの作成順を上記順位基準パラメータに設定することで、表示オブジェクト選択手段が、過去に作成した古い順又は新しい順で切り替えできる。
【００２２】
また、上記目的を達成するために、第７の発明は、文書情報を表示する所定形状の表示オブジェクトを表示手段に表示させる表示オブジェクト管理装置に備えられた制御手段に対し、前記表示オブジェクトに表示させる前記文書情報を外部の操作端末から受信する文書情報受信手順と、既存の複数の前記表示オブジェクトのそれぞれに関する所定の種類のパラメータを前記複数の表示オブジェクトに対応付けて記憶し、前記パラメータのうちの１種を順位基準パラメータとして設定して前記複数の表示オブジェクトの選択順位を当該順位基準パラメータの順位に従って設定するパラメータ記憶制御手順と、前記複数の表示オブジェクトのうち任意の１つを、前記文書情報受信手順で受信した前記文書情報を追加記入すべき対象として前記順位基準パラメータにおける選択順位の順で切り替えて選択可能な表示オブジェクト選択手順と、前記表示手段に表示されている前記複数の表示オブジェクトのうち、前記表示オブジェクト選択手順により選択された表示オブジェクトを、他の表示オブジェクトと異なる態様で表示させるよう前記表示手段を制御する表示制御手順と、を実行させる。
【００２３】
本願第７発明においては、表示オブジェクト管理装置が、表示手段に表示オブジェクトを表示できる。
【００２４】
表示手段には、その表示領域中において使用者が任意の位置に複数の表示オブジェクトを作成し、その存在領域中に任意の文書情報を操作端末から入力して表示させることができる。また、既存の表示オブジェクトの存在領域中に新たな文書情報を追加して記入できる。なお、文書情報の追加記入は、既存の表示オブジェクトの余白に記入することが望ましい。このように、表示手段は表示オブジェクトアプリケーションの表示に利用できる。
【００２５】
そこで本願第７発明においては、文書情報受信手順が、表示オブジェクトに記入させる文書情報を外部の操作端末から受信する。また、パラメータ記憶制御手順が、既存の複数の表示オブジェクトのそれぞれに関する所定の種類のパラメータを各表示オブジェクトに対応付けて記憶する。さらにパラメータ記憶制御手順は、そのうちの１種のパラメータを順位基準パラメータとして設定し、既存の複数の表示オブジェクトの間の選択順位を当該順位基準パラメータの順位に従って設定する。これにより、既存の複数の表示オブジェクトどうしの間で、順位基準パラメータの内容に基づく序列が設定される。
【００２６】
そして上記文書情報受信手順で受信した文書情報を、既存の複数の表示オブジェクトのうちいずれか１つに追加記入する場合は、使用者が表示オブジェクト選択手順によって、順位基準パラメータにおける選択順位の順で切り替えて任意の１つの表示オブジェクトを選択する。この際、表示制御手順が、表示手段に表示されている既存の複数の表示オブジェクトのうち、表示オブジェクト選択手順により選択された１つの表示オブジェクトだけを例えばハイライト表示させるなど、他の表示オブジェクトと異なる態様で表示させるよう表示手段を逐次制御する。
【００２７】
以上により本願第７発明は、表示手段に大量の表示オブジェクトが表示されている場合でも、その時点で仮に追加記入の対象としている表示オブジェクトを１つだけ明確に表示させることができ、その選択対象を容易に切り替えることができる。また、どのパラメータを順位基準パラメータに設定するかによって、機能的な順序で選択対象を切り替えることができる。この結果、複数の表示オブジェクトが表示されている場合でも、追加記入する対象の表示オブジェクトを探索する際の利便性を向上できる。
【発明の効果】
【００２８】
本発明によれば、複数の表示オブジェクトが表示されている場合でも、追加記入する対象の表示オブジェクトを探索する際の利便性を向上できる。
【図面の簡単な説明】
【００２９】
【図１】本発明の一実施の形態の表示オブジェクト管理装置を備えた仮想付箋紙入力表示システムの概略的構成を示す図である。
【図２】手書き入力操作端末の使用時の様子を表す概念的平面図である。
【図３】手書き入力操作端末の処理構成を表す機能ブロック図である。
【図４】仮想付箋紙アプリケーションの表示例を表す図である。
【図５】仮想付箋紙内の付箋紙座標を表す図である。
【図６】選択キーの操作により選択順位の順でハイライト表示が切り替わる様子を表す図である。
【図７】仮想付箋紙パラメータテーブルの一例を概念的に表す図である。
【図８】追記文書情報パラメータと追記文書情報の一例を概念的に表す図である。
【図９】図７のテーブルを距離Ｉの順で並べ替えた場合を表す図である。
【図１０】図７のテーブルを距離IIの順で並べ替えた場合を表す図である。
【図１１】サーバーのＣＰＵが実行する制御手順を表すフローチャートである。
【図１２】図１１におけるステップＳＳ１００のハイライト表示順位決定処理で行われる制御処理の詳細を表すフローチャートである。
【発明を実施するための形態】
【００３０】
以下、本発明の一実施の形態を図面を参照しつつ説明する。
【００３１】
本発明の表示オブジェクト管理装置を備えた本実施形態における仮想付箋紙入力表示システムＳは、図１に示すように、通信ネットワークＮＷを介して相互に情報を送受可能に接続された複数の手書き入力操作端末１とサーバー２、及び表示装置３とを有する。手書き入力操作端末１は、使用者が後述する手書きペンを利用して後述の文字入力パネルに筆記記入した文書情報を電子的に入力するとともに、当該文書情報を記入した表示オブジェクトとしての仮想付箋紙の作成及び編集を行う操作端末である。表示オブジェクト管理装置であるサーバー２は、一般的なコンピュータで構成されて後述の仮想付箋紙アプリケーションを処理する情報処理機器であり、各手書き入力操作端末１から送信された文書情報と各種指令に基づいて作成、編集された仮想付箋紙を管理し、それら仮想付箋紙を表示手段である表示装置３に表示する。表示装置３の表示画面上では、各手書き入力操作端末１の操作により作成、編集された複数の仮想付箋紙が同一の仮想の掲示板上に貼付表示され、各手書き入力操作端末１のそれぞれの使用者が当該表示装置３の表示を共有して閲覧する。なお、図示する例では、各手書き入力操作端末１とサーバー２を接続する通信ネットワークＮＷがケーブルを介した有線ネットワークで構成されているが、他にも無線ネットワークを介して接続してもよい。
【００３２】
手書き入力操作端末１は、図２に示すように、手書きペン１１と端末本体１２とを有する。端末本体１２は、それぞれ筐体の前面に設けられた文字入力パネル１３と、逆送りキー１４と、順送りキー１５と、編集キー１６と、送信キー１７とを有する。文字入力パネル１３は、使用者がその表面上に手書きペン１１の先端を接触させた接触点の座標位置を検出する位置検出装置であり、その検出方式としては公知の電磁誘導方式、抵抗膜タッチパネル方式、又は超音波方式などが利用できる。なお、この文字入力パネル１３の表面に液晶パネルを備え、接触点を逐次描画させることで手書きペン１１の接触軌跡を表示させてもよい。また以下においては、特に逆送りキー１４と順送りキー１５をまとめて選択キーと称し、これらを含む各キーの機能については、後に詳述する。
【００３３】
手書き入力操作端末１の処理構成としては、図３に示すように、端末ＩＤ記憶部２１、文字入力部２２、操作部２３、データ処理部２４、及び外部通信制御部２５を有する。端末ＩＤ記憶部２１は、当該手書き入力操作端末１の個体を特定するために割り当てられた個体別識別情報である端末ＩＤを記憶する機能構成部である。文字入力部２２は、上記文字入力パネル１３で検出された複数の接触点の集合から、使用者が筆記入力した文字をいわゆるストロークデータの形態で入力する機能構成部である。なお、この文字入力部２２においては、キーボード（特に図示せず）などを別途備えて一般的なキャラクタコードを文書情報として入力できるようにしてもよい。操作部２３は、使用者による上記逆送りキー１４、順送りキー１５、編集キー１６、及び送信キー１７の各操作状態を検出する機能構成部である。データ処理部２４は、上記端末ＩＤ記憶部２１、文字入力部２２、及び操作部２３から入力された情報や指令を、サーバー２へ送信可能に処理する機能構成部である。外部通信制御部２５は、上記データ処理部２４から入力された情報や指令をサーバー２へ送信するよう、上記通信ネットワークＮＷに対する通信制御を行う機能構成部である。
【００３４】
次に、本実施形態の仮想付箋紙入力表示システムＳにおいて、サーバー２が処理する仮想付箋紙アプリケーションの表示装置３における表示例を図４に示す。図示する例では、表示装置３の表示領域中で、各手書き入力操作端末１の使用者がそれぞれ任意の位置に５つの仮想付箋紙３０１〜３０５を作成して貼付表示している。なお、２つの仮想付箋紙３０１，３０５と３つの仮想付箋紙３０２，３０３，３０４は異なる使用者によって作成されており、各仮想付箋紙は作成した使用者別、つまり端末ＩＤ別に異なる色で表示されている。各仮想付箋紙３０１〜３０５は、それぞれ所定の大きさの矩形形状に形成されており、上記手書き入力操作端末１に筆記入力された文書情報（図中では、いずれも「・・・」で略記）が記入されている。この文書情報は、複数の文字からなる通常の文字列で記入されてもよいし、それ以外にも使用者が任意に筆記入力した図形などをそのまま記入してもよい。
【００３５】
また、それら文書情報の長さや大きさによって各仮想付箋紙３０１〜３０５の大きさを適宜調整して変更したり、それぞれの表示位置を任意の位置へ移動させることや、不要になったものを消去させることができる。このような仮想付箋紙アプリケーションを利用することで、使用者は断片的な文書情報を手書き入力による自由な筆記態様で表示装置３の表示画面上に一時的に表示させることができる。このように構成された仮想付箋紙入力表示システムＳによれば、複数の使用者がそれぞれのアイデアを記載した仮想付箋紙３０１〜３０５を表示装置３に表示して、共通のテーマに基づく検討作業、いわゆるブレインストーミングなどに利用できる。
【００３６】
なお、表示装置３の表示画面における表示領域座標Ｘｓ−Ｙｓは、上記図２に示した手書き入力操作端末１の文字入力パネル１３における記入領域座標Ｘｔ−Ｙｔに対応している。これにより、各手書き入力操作端末１の使用者は、文字入力パネル１３の有効領域を表示装置３の表示領域に見立て、表示領域上の任意の座標位置を指定する際に、文字入力パネル１３の有効領域上で対応する座標位置に手書きペンを接触させて指定することができる。
【００３７】
またこの例では、各仮想付箋紙のそれぞれの左上の頂点の座標位置が、上記表示領域座標Ｘｓ−Ｙｓにおける当該仮想付箋紙の貼付基準位置（ｘｓ，ｙｓ）となる。また、各仮想付箋紙の貼付領域においても、それぞれ独自の付箋紙座標Ｘｆ−Ｙｆが設定されており、それぞれに記載される文書情報はこの付箋紙座標Ｘｆ−Ｙｆにおける任意の位置に配置できる。例えば、仮想付箋紙３０２を拡大した図５に示すように、付箋紙座標Ｘｆ−Ｙｆの原点付近から離間した記載開始位置（ｘｆａ，ｙｆａ）から文書情報を記載してもよく、そこから当該文書情報の文字数によって記載終了位置（ｘｆｂ，ｙｆｂ）が決まる。なお、この付箋紙座標Ｘｆ−Ｙｆの単位ドットは、表示領域座標Ｘｓ−Ｙｓの単位ドットと共通である。また、これら記載開始位置（ｘｆａ，ｙｆａ）と記載終了位置（ｘｆｂ，ｙｆｂ）は、それぞれ上記貼付基準位置（ｘｓ，ｙｓ）の座標値を加算することで容易に表示領域座標Ｘｓ−Ｙｓ上の座標値に変換できる。また、上記貼付基準位置（ｘｓ，ｙｓ）が、各請求項記載の既存の文書情報の座標位置に相当し、上記付箋紙座標Ｘｆ−Ｙｆが、各請求項記載のオブジェクト領域座標に相当する。
【００３８】
また、上記図２に示したように、文字入力パネル１３の記入領域座標Ｘｔ−Ｙｔ上において、使用者が追記のために筆記記入した文書情報の追記開始位置（ｘｔａ，ｙｔａ）及び追記終了位置（ｘｔｂ，ｙｔｂ）の場合は、そのままで表示領域座標Ｘｓ−Ｙｓ上の座標値に相当する。また、それぞれの座標値から所定の仮想付箋紙の貼付基準位置（ｘｓ，ｙｓ）の座標値を減算することで、当該仮想付箋紙の付箋紙座標Ｘｆ−Ｙｆにおける座標値に変換できる。なお、上記追記開始位置（ｘｔａ，ｙｔａ）が、各請求項記載の追加記入の目的で前記文書情報受信手段が受信した文書情報の座標位置に相当する。
【００３９】
本実施形態の仮想付箋紙入力表示システムＳでは、複数の既存の仮想付箋紙のうちの１つに対して記載を追記したい場合、たとえそれら既存の仮想付箋紙が表示装置３の表示画面上に多数貼付表示されていても、追記対象の仮想付箋紙を容易に探索できる。以下、各操作の詳細について順に説明する。
【００４０】
まず、手書き入力操作端末１の文字入力パネル１３で、使用者が追記したい文書情報を有効領域上の任意の位置に筆記記入し、編集キー１６を押下する。これにより、図６（ａ）に示すように、１つの仮想付箋紙（図示する例では、仮想付箋紙３０４）だけがハイライト表示される。このときハイライト表示される仮想付箋紙は、所定のパラメータに基づく選択順位で最も上位に相当するものである（詳細は後述する）。その後、使用者が順送りキー１５を押下するたびに、図６（ｂ）、図６（ｃ）の順で示すように、上記選択順位の降順でハイライト表示させる１つの仮想付箋紙を切り替える。つまり、図示する例では、仮想付箋紙３０５が２番目の選択順位であり、仮想付箋紙３０２が３番目の選択順位となっている（４番目以降については図示省略）。また、逆送りキー１４を押下することで１つ前の選択順位に戻ってハイライト表示させることもできる。
【００４１】
このように、表示装置３の表示画面上に多数の仮想付箋紙が貼付表示されている場合でも、その時点で仮に追加記入の対象としている仮想付箋紙を１つだけ明確に表示させることができ、その選択対象を容易に切り替えることができる。そして、使用者が追記目的としている仮想付箋紙がハイライト表示されている際に送信キー１７を押下することで、上記筆記入力された文書情報が当該仮想付箋紙に追記記入される。
【００４２】
次に、上記選択順位の設定について説明する。まず、サーバー２は、その時点で表示装置３に表示させている全ての仮想付箋紙について、それぞれ各種のパラメータを記憶し管理している。例えば、図７に示す仮想付箋紙パラメータテーブルに示すように、各仮想付箋紙に割り当てられた仮想付箋紙番号に対応づけて、その送信元端末ＩＤ、記載文字数、余白領域、受信順、当該仮想付箋紙の付箋紙座標Ｘｆ−Ｙｆにおける記載開始位置（ｘｆａ，ｙｆａ）と記載終了位置（ｘｆｂ，ｙｆｂ）、及び表示領域座標Ｘｓ−Ｙｓにおける貼付基準位置（ｘｓ，ｙｓ）の各パラメータを記憶している。なお、この図７も含めて、以下に示すパラメータテーブルは、選択順位を説明するために記載したものであり、上記図４、図６に示した５つの仮想付箋紙に対応するものではない。
【００４３】
送信元端末ＩＤのパラメータは、当該仮想付箋紙を作成した手書き入力操作端末１の端末ＩＤである。記載文字数のパラメータは、当該仮想付箋紙にその時点で記載されている文書情報の文字数である。余白領域のパラメータは、当該仮想付箋紙の貼付領域において、その時点で記載されている文書情報の記載終了位置から後に続いて他の文書情報を記載可能な余白の大きさであり、単位ドット数で示している。受信順のパラメータは、手書き入力操作端末１から当該仮想付箋紙の情報を受信した順番、つまり作成した順番である。なお、上記余白領域が各請求項記載の複数の表示オブジェクトのそれぞれの表示領域における余白の大きさに相当し、記載文字数が文書情報の文字数に相当し、受信順が複数の表示オブジェクトのそれぞれの作成順に相当する。
【００４４】
これら各種パラメータのうちの１つを順位基準パラメータとして設定し、当該順位基準パラメータの昇順又は降順を選択順位とする。例えば記載文字数のパラメータを順位基準パラメータに設定し、記載文字数の少ない順を選択順位とした場合には、仮想付箋紙の貼付領域内で記載文字数が少なくその分だけ追記記入できる余地が大きいものから順にハイライト表示させることができる。また、余白領域のパラメータを順位基準パラメータに設定し、余白領域の大きい順を選択順位とした場合には、仮想付箋紙の貼付領域内で余白領域が大きくその分だけ追記記入できる余地が大きいものから順にハイライト表示させることができる。これは、各仮想付箋紙で記載開始位置が異なっていたり、各仮想付箋紙の形状や大きさが適宜変更されている場合には有効である。
【００４５】
また、使用者が文字入力パネル１３の記入領域座標Ｘｔ−Ｙｔ上において指定した追記指定位置（ｘｔ，ｙｔ）を表示領域座標Ｘｓ−Ｙｓ上の追記指定位置（ｘｔｓ、ｙｔｓ）に変換してから各仮想付箋紙の貼付基準位置（ｘｓ，ｙｓ）までの距離をそれぞれ算出して順位基準パラメータに設定してもよい。例えば、手書き入力操作端末１で追記の文書情報が筆記入力され、編集キー１６が押下され、追記指定位置を指定し再度編集キー１６が押下された際には、図８に示すような追記文書情報パラメータと追記文書情報がサーバー２に送信される。サーバー２は、受信した追記文書情報パラメータに含まれる追記指定位置（ｘｔｓ，ｙｔｓ）から各仮想付箋紙の貼付基準位置（ｘｓ，ｙｓ）までの距離（以下、距離Ｉとする）を別途算出して一時的に順位基準パラメータとして記憶すればよい。この場合は、距離Ｉの短い順、つまり貼付基準位置（ｘｓ，ｙｓ）が追記指定位置に近い順を選択順位とし、上記図７のテーブルを図９に示すように並べ替える。これにより、使用者があらかじめ視認している追記目的の仮想付箋紙の近傍位置に文書情報を筆記入力することで、迅速に当該仮想付箋紙を選択して追記記入できる。
【００４６】
また、使用者が文字入力パネル１３の記入領域座標Ｘｔ−Ｙｔ上において追記記入した追記開始位置（ｘｔａ，ｙｔａ）を指定位置とし、この指定位置から各仮想付箋紙の記載終了位置（ｘｆｂ，ｙｆｂ）までの距離をそれぞれ算出して順位基準パラメータに設定してもよい。この場合には、上記追記文書情報パラメータの追記開始位置（ｘｔａ，ｙｔａ）を各仮想付箋紙の付箋紙座標Ｘｆ−Ｙｆ上でそれぞれ変換してから対応する記載終了位置（ｘｆｂ，ｙｆｂ）までの距離（以下、距離IIとする）を算出すればよい。この場合は、距離IIの短い順、つまり記載終了位置（ｘｆｂ，ｙｆｂ）が指定位置に近い順を選択順位とし、上記図７のテーブルを図１０に示すように並べ替える。これにより、使用者があらかじめ視認している追記目的の仮想付箋紙の記載終了位置に続けて文書情報を筆記入力することで、迅速に当該仮想付箋紙を選択して追記記入できる。
【００４７】
以上のような機能を実現するために、サーバー２のＣＰＵ（特に図示せず）で行われる制御処理の内容を、図１１、図１２により順を追って説明する。
【００４８】
図１１において、このフローに示すサーバー２のＣＰＵの処理は、例えば手書き入力操作端末１において、使用者が編集キー１６の押下を行ったことが検知された場合に開始される。またこのフローの開始時には、上記記載文字数、余白領域、距離Ｉ、距離IIのいずれか１つのパラメータが、あらかじめ順位基準パラメータに設定されている。
【００４９】
まずステップＳＳ５で、ＣＰＵは、編集キー１６が押下された手書き入力操作端末１から追記文書情報パラメータを受信する。
【００５０】
そして、ステップＳＳ１００に移り、ＣＰＵは、上記図７に示したような仮想付箋紙パラメータテーブルや、上記ステップＳＳ５で受信した追記文書情報パラメータを参照し、あらかじめ設定された順位基準パラメータに基づく選択順位で当該仮想付箋紙パラメータテーブルの並び替えと、最上位の仮想付箋紙をハイライト表示させるハイライト表示順位決定処理を行う。
【００５１】
そして、ステップＳＳ１０に移り、ＣＰＵは、当該手書き入力操作端末１の送信キー１７が押下されたか否かを判定する。送信キー１７が押下されていない場合、判定は満たされず、ステップＳＳ１５へ移る。
【００５２】
ステップＳＳ１５では、ＣＰＵは、当該手書き入力操作端末１で、順送りキー１５又は逆送りキー１４のいずれかの選択キーが押下されたか否かを判定する。順送りキー１５（図中の「→」）が押下された場合には、ステップＳＳ２０へ移る。
【００５３】
ステップＳＳ２０では、ＣＰＵは、次の選択順位の仮想付箋紙をハイライト表示させる。なお、それまでハイライト表示させていた仮想付箋紙は、通常態様の表示に戻す。そして、ステップＳＳ１０へ戻り、同様の手順を繰り返す。
【００５４】
一方、上記ステップＳＳ１５の判定において、逆送りキー１４（図中の「←」）が押下された場合には、ステップＳＳ２５へ移る。
【００５５】
ステップＳＳ２５では、ＣＰＵは、前の選択順位の仮想付箋紙をハイライト表示させる。なお、それまでハイライト表示させていた仮想付箋紙は、通常態様の表示に戻す。そして、ステップＳＳ１０へ戻り、同様の手順を繰り返す。
【００５６】
また一方、上記ステップＳＳ１０の判定において、送信キー１７が押下された場合、判定が満たされ、ステップＳＳ３０へ移る。
【００５７】
ステップＳＳ３０では、ＣＰＵは、送信キー１７が押下された手書き入力操作端末１から追記文書情報を受信する。
【００５８】
そして、ステップＳＳ３５に移り、ＣＰＵは、上記ステップＳＳ３０で受信した追記文書情報が手書きの筆記入力によるストロークデータの態様か否かを判定する。受信した追記文書情報がストロークデータの態様である場合、判定が満たされ、ステップＳＳ４０へ移る。
【００５９】
ステップＳＳ４０では、ＣＰＵは、上記ステップＳＳ３０で受信したストロークデータの態様の追記文書情報を文字認識する。そして、ステップＳＳ４５へ移る。
【００６０】
一方、上記ステップＳＳ３５の判定において、受信した追記文書情報がストロークデータの態様ではなく、例えばキーボードから入力されたキャラクタコード列などの態様である場合、判定は満たされず、そのままステップＳＳ４５へ移る。
【００６１】
ステップＳＳ４５では、ＣＰＵは、追記文書情報に含まれる文字数をカウントする。
【００６２】
そして、ステップＳＳ５０に移り、ＣＰＵは、その時点でハイライト表示中の仮想付箋紙へ追記文書情報を追記記入して反映し、そのハイライト表示を通常の表示態様に戻す。そしてこのフローを終了する。
【００６３】
次に、上記ステップＳＳ１００のハイライト表示順位決定処理で行われる制御処理の詳細を、図１２により順を追って説明する。
【００６４】
まずステップＳＳ１０５では、ＣＰＵは、あらかじめ設定されている順位基準パラメータが、記載文字数のパラメータであるか否かを判定する。記載文字数のパラメータが順位基準パラメータに設定されている場合には、判定が満たされ、ステップＳＳ１１０へ移る。
【００６５】
ステップＳＳ１１０では、ＣＰＵは、記載文字数の少ない順を選択順位として仮想付箋紙パラメータテーブルを並び替える。
【００６６】
そして、ステップＳＳ１５０に移り、ＣＰＵは、順位基準パラメータが最上位の仮想付箋紙、つまり並び替えた状態の仮想付箋紙パラメータテーブルで最初に位置する仮想付箋紙をハイライト表示する。そしてこのフローを終了する。
【００６７】
一方、上記ステップＳＳ１０５の判定において、記載文字数のパラメータが順位基準パラメータに設定されていない場合には、判定は満たされず、ステップＳＳ１１５へ移る。
【００６８】
ステップＳＳ１１５では、ＣＰＵは、あらかじめ設定されている順位基準パラメータが、余白領域のパラメータであるか否かを判定する。余白領域のパラメータが順位基準パラメータに設定されている場合には、判定が満たされ、ステップＳＳ１２０へ移る。
【００６９】
ステップＳＳ１２０では、ＣＰＵは、余白領域の大きい順を選択順位として仮想付箋紙パラメータテーブルを並び替える。そして上記ステップＳＳ１５０へ移り、同様の手順を行う。
【００７０】
一方、上記ステップＳＳ１１５の判定において、余白領域のパラメータが順位基準パラメータに設定されていない場合には、判定は満たされず、ステップＳＳ１２５へ移る。
【００７１】
ステップＳＳ１２５では、ＣＰＵは、あらかじめ設定されている順位基準パラメータが、距離Ｉのパラメータであるか否かを判定する。距離Ｉのパラメータが順位基準パラメータに設定されている場合には、判定が満たされ、ステップＳＳ１３０へ移る。
【００７２】
ステップＳＳ１３０では、ＣＰＵは、仮想付箋紙パラメータテーブルに上記距離Ｉの項目を追加し、各仮想付箋紙のそれぞれに対して距離Ｉを算出して記録する。
【００７３】
そして、ステップＳＳ１３５に移り、ＣＰＵは、距離Ｉの短い順を選択順位として仮想付箋紙パラメータテーブルを並び替える。そして上記ステップＳＳ１５０へ移り、同様の手順を行う。
【００７４】
一方、上記ステップＳＳ１２５の判定において、距離Ｉのパラメータが順位基準パラメータに設定されていない場合には、判定は満たされず、ステップＳＳ１４０へ移る。
【００７５】
ステップＳＳ１４０では、ＣＰＵは、仮想付箋紙パラメータテーブルに上記距離IIの項目を追加し、各仮想付箋紙のそれぞれに対して距離IIを算出して記録する。
【００７６】
そして、ステップＳＳ１４５に移り、ＣＰＵは、距離IIの短い順を選択順位として仮想付箋紙パラメータテーブルを並び替える。そして上記ステップＳＳ１５０へ移り、同様の手順を行う。
【００７７】
以上において、上記図１１のフローにおけるステップＳＳ３０の手順が、各請求項記載の文書情報受信手段及び文書情報受信手順に相当し、ステップＳＳ１００のハイライト表示順位決定処理がパラメータ記憶制御手段及びパラメータ記憶制御手順に相当し、ステップＳＳ１５の手順が表示オブジェクト選択手段及び表示オブジェクト選択手順に相当し、ステップＳＳ２０、ステップＳＳ２５、及びステップＳＳ１５０の手順が、表示制御手段及び表示制御手順に相当する。
【００７８】
以上説明したように、本実施形態の仮想付箋紙入力表示システムが備えるサーバー２においては、ステップＳＳ３０の手順で受信した文書情報を、既存の複数の仮想付箋紙のうちいずれか１つに追加記入する場合は、使用者がステップＳＳ１５の手順によって、順位基準パラメータにおける選択順位の順で切り替えて任意の１つの仮想付箋紙を選択する。この際、ステップＳＳ２０、ステップＳＳ２５、及びステップＳＳ１５０の手順が、表示装置３に表示されている既存の複数の仮想付箋紙のうち、ステップＳＳ１５の手順により選択された１つの仮想付箋紙だけを例えばハイライト表示させるなど、他の仮想付箋紙と異なる態様で表示させるよう表示装置３を逐次制御する。
【００７９】
以上により本実施形態は、表示装置３に大量の仮想付箋紙が表示されている場合でも、その時点で仮に追加記入の対象としている仮想付箋紙を１つだけ明確に表示させることができ、その選択対象を容易に切り替えることができる。また、どのパラメータを順位基準パラメータに設定するかによって、機能的な順序で選択対象を切り替えることができる。この結果、複数の仮想付箋紙が表示されている場合でも、追加記入する対象の仮想付箋紙を探索する際の利便性を向上できる。
【００８０】
また、本実施形態では特に、手書き入力操作端末１が表示装置３の表示領域座標Ｘｓ−Ｙｓと対応する記入領域座標Ｘｔ−Ｙｔで文書情報の記入位置を指定できる。そして、既存の複数の仮想付箋紙のそれぞれに記載されている既存の文書情報のいずれかに対して使用者が手書き入力操作端末１を利用して追記記入を行う際に、その追記対象の既存の仮想付箋紙の貼付基準位置（ｘｓ，ｙｓ）の近傍を位置指定することで、当該文書情報の追記指定位置（ｘｔｓ，ｙｔｓ）に最も近い順位（距離Ｉの短い順位）を複数の仮想付箋紙の選択順位に設定できる。これにより、追記対象の仮想付箋紙を機能的な順序で切り替えることができる。
【００８１】
また、本実施形態では特に、順位基準パラメータを、各仮想付箋紙内の付箋紙座標Ｘｆ−Ｙｆにおける既存の文書情報の記載終了位置（ｘｆｂ，ｙｆｂ）と、上記付箋紙座標Ｘｆ−Ｙｆに置き換えた追加の文書情報の追記開始位置（ｘｔａ，ｙｔａ）との間の距離IIに設定した場合には、２つの文書情報が最も自然につながる配置関係の仮想付箋紙から順に追記対象に切り替えることができる。
【００８２】
また、本実施形態では特に、ステップＳＳ１００のハイライト表示順位決定処理が参照するパラメータの具体的な種類として、余白領域、記載文字数、及び受信順のうち少なくとも１つを参照する。このうち、余白領域、記載文字数のいずれかを順位基準パラメータに設定することで、ステップＳＳ１５の手順が仮想付箋紙の形状をできるだけ変えずに文書情報を追記できる順で切り替えできる。また、複数の仮想付箋紙のそれぞれの作成順、つまり受信順を順位基準パラメータに設定することで、ステップＳＳ１５の手順が、過去に作成した古い順又は新しい順で切り替えできる。なお他にも、特に図示しないが、仮想付箋紙に記載されている文書情報の記載領域の大きさを単位ドット数などで示したパラメータを設けてもよい。これを順位基準パラメータに設定した場合には、上記の余白領域及び記載文字数の場合と同様の順で切り替えできる。
【００８３】
なお、上記実施形態では、その時点で仮に追加記入の対象としている１つの仮想付箋紙をハイライト表示させるだけであったが、本発明はこれに限られない。例えば、上記１つだけのハイライト表示とともに、他の複数の仮想付箋紙においてもそれぞれの選択順位に対応させて同じ色の濃淡を階調的に変化させて表示したり、又は左上の隅に選択順位の番号を表示したり、又は重なり順を変えるなどによって段階的に変化させた態様で表示してもよい。これにより、その時点でステップＳＳ１５の手順により選択されてハイライト表示している仮想付箋紙がどの程度の順位で選択されているかを比較でき、選択の決定を検討する際の参考にできる。
【００８４】
また、上記実施形態では、１つの順位基準パラメータでしか選択順位を設定していなかったが、本発明はこれに限られない。他にも、設定された１種の順位基準パラメータの内容が同じである複数の仮想付箋紙に対しても、ステップＳＳ１００のハイライト表示順位決定処理が、他の種のパラメータの順位に従って選択順位の序列を設定してもよく、これにより選択順位の設定精度を向上できる。なお、パラメータが多数種ある場合には、順位基準パラメータの次にどのパラメータを参照するかについてもあらかじめ設定しておく必要がある。
【００８５】
なお、以上において、図１、図３等の各図中に示す矢印は信号の流れの一例を示すものであり、信号の流れ方向を限定するものではない。
【００８６】
また、図１１、図１２等に示すフローチャートは本発明を上記フローに示す手順に限定するものではなく、発明の趣旨及び技術的思想を逸脱しない範囲内で手順の追加・削除又は順番の変更等をしてもよい。
【００８７】
また、以上既に述べた以外にも、上記実施形態や各変形例による手法を適宜組み合わせて利用しても良い。
【００８８】
その他、一々例示はしないが、本発明は、その趣旨を逸脱しない範囲内において、種々の変更が加えられて実施されるものである。
【符号の説明】
【００８９】
１                手書き入力操作端末（操作端末）
２                サーバー（表示オブジェクト管理装置）
３                表示装置（表示手段）
１１              手書きペン
１２              端末本体
１３              文字入力パネル
１４              逆送りキー
１５              順送りキー
１６              編集キー
１７              送信キー
２１              端末ＩＤ記憶部
２２              文字入力部
２３              操作部
２４              データ処理部
２５              外部通信制御部
Ｓ                仮想付箋紙入力表示システム
【図１】
2012194844.tif 000003
【図２】
2012194844.tif 000004
【図３】
2012194844.tif 000005
【図４】
2012194844.tif 000006
【図５】
2012194844.tif 000007
【図６】
2012194844.tif 000008
【図７】
2012194844.tif 000009
【図８】
2012194844.tif 000010
【図９】
2012194844.tif 000011
【図１０】
2012194844.tif 000012
【図１１】
2012194844.tif 000013
【図１２】
2012194844.tif 000014